(57)【要約】【課題】  複数のＬＥＤを用いた場合の指向性を広めるとともに、見る角度により発光色を異ならせてイルミネーション効果を向上させるようにした発光装置を提供する。【解決手段】  発光装置１０Ａは、導電性材料から成る共通導電支持体４の周囲に、導電性材料からなるリード１Ａ〜１Ｄが配置され、共通導電支持体４の側面４Ａ〜４Ｄおよび頂面４Ｅには、それぞれＬＥＤチップ２Ａ〜２Ｄが実装されて共通に支持されている。共通導電支持体４の第１の側面４ＡにはＬＥＤチップ２Ａが、側面４ＢにはＬＥＤチップ２Ｂが、側面４ＣにはＬＥＤチップ２Ｃが、側面４ＤにはＬＥＤチップ２Ｄが、頂面４ＥにはＬＥＤチップ２Ｅがそれぞれ実装されている。【選択図】      図１
2006080391.tif 000002
【特許請求の範囲】
【請求項１】
異なる向きに設けられ、ＬＥＤチップが実装される複数のＬＥＤ実装面を有する共通、あるいは個別の複数の導電支持体と、
第１および第２の電極を有し、前記導電支持体の前記複数のＬＥＤ実装面に前記第１の電極を電気的に接続して実装された複数のＬＥＤチップと、
前記複数のＬＥＤチップの前記第２の電極にボンディングワイヤを介して接続された複数の個別導電体とを備えたことを特徴とする発光装置。
【請求項２】
前記導電支持体は、複数の側面又は複数の斜面に前記複数のＬＥＤ実装面を有することを特徴とする請求項１に記載の発光装置。
【請求項３】
前記導電支持体は、頂面に前記ＬＥＤ実装面を有することを特徴とする請求項２に記載の発光装置。
【請求項４】
前記導電支持体は、絶縁体を介して接合され、前記ＬＥＤ実装面を有する複数の支持体部を有することを特徴とする請求項１に記載の発光装置。
【請求項５】
前記複数の個別導電体は、複数の前記ＬＥＤチップの前記第２の電極が複数の前記ボンティングワイヤを介して共通に接続された個別導電体を含むことを特徴とする請求項１に記載の発光装置。
【請求項６】
前記複数のＬＥＤチップは、異なる色を発光するＬＥＤチップの組合せにより構成されたことを特徴とする請求項１に記載の発光装置。
【請求項７】
前記複数のＬＥＤチップは、同一の色を発光するＬＥＤチップの組合せにより構成されたことを特徴とする請求項１に記載の発光装置。
【請求項８】
前記導電支持体および前記複数の個別導電体は、同一方向に平行に導出してなることを特徴とする請求項１に記載の発光装置。
【請求項９】
前記複数の個別導電体は、前記導電支持体の方向に垂直な方向に導出してなることを特徴とする請求項１に記載の発光装置。
【発明の詳細な説明】
【技術分野】
【０００１】
本発明は、発光ダイオード（ＬＥＤ）などの発光素子から光を放射する発光装置に関し、特に、複数のＬＥＤを用いた場合の指向性を広めるとともに、見る角度により発光色を異ならせてイルミネーション効果を向上させるようにした発光装置に関する。
【背景技術】
【０００２】
従来から、ショーウィンド、ショールームなどにおける装飾用ランプとして、ＬＥＤを用いることが行われている（例えば、特許文献１参照）。
【０００３】
この場合、イルミネーション効果を向上させるために、同色を発光する、あるいは複数種の色を発光する複数のＬＥＤを用いて、同一面あるいは平行面に実装して被装飾体を照明することが一般的に行われている。特に複数種の色を発光する複数のＬＥＤを用いた場合には、装飾が華やかになるので、イルミネーション効果を向上させることが可能となる。
【特許文献１】特開２００１−３０６０１３号公報
【発明の開示】
【発明が解決しようとする課題】
【０００４】
しかし、従来の発光装置によると、複数のＬＥＤを同一面あるいは平行面に実装して構成した装飾用ランプは、電球などにより構成した装飾用ランプと比べて指向性が狭いので、輝度むらがあるように感じられる。従って、被装飾体を見る者に対して違和感を与える。また、ＬＥＤを発光させた場合、見る角度を変えても発光色が同じ色に見えるようになるので、イルミネーション効果を向上させることが難しくなる。
【０００５】
従って、本発明の目的は、複数のＬＥＤを用いた場合の指向性を広めるとともに、見る角度により発光色を異ならせてイルミネーション効果を向上させるようにした発光装置を提供することにある。
【課題を解決するための手段】
【０００６】
本発明は、上記目的を達成するため、異なる向きに設けられ、ＬＥＤチップが実装される複数のＬＥＤ実装面を有する共通、あるいは個別の複数の導電支持体と、第１および第２の電極を有し、前記導電支持体の前記複数のＬＥＤ実装面に前記第１の電極を電気的に接続して実装された複数のＬＥＤチップと、前記複数のＬＥＤチップの前記第２の電極にボンディングワイヤを介して接続された複数の個別導電体とを備えたことを特徴とする発光装置を提供する。
【発明の効果】
【０００７】
本発明の発光装置によれば、共通、あるいは個別の導電支持体の異なる向きに設けられたＬＥＤ実装面に複数のＬＥＤチップを実装するので、指向性が広くなる。また、各ＬＥＤチップの発光色を異ならせることにより、見る角度により発光色が異なり、イルミネーション効果を向上させることができる。
【発明を実施するための最良の形態】
【０００８】
［第１の実施の形態］
図１は、本発明の第１の実施の形態に係る発光装置を示す斜視図、図２は、その平面図である。この発光装置１０Ａは、発光素子としてのＬＥＤチップ２Ａ〜２Ｅと、導電性材料からなりＬＥＤチップ２Ａ〜２Ｅが搭載される共通導電支持体４と、導電性材料からなる個別導電体としてのリード１Ａ〜１Ｄと、ＬＥＤチップ２Ａ〜２Ｅとリード１Ａ〜１Ｄ間を接続するボンディングワイヤ３Ａ〜３Ｅとを備える。ＬＥＤチップ２Ａ〜２Ｅ、共通導電支持体４の上部、リード１Ａ〜１Ｄの上部及びボンディングワイヤ３Ａ〜３Ｅは、透明性樹脂材料からなる封止樹脂１１により覆われている。
【０００９】
ＬＥＤチップ２Ａ〜２Ｅは、共通導電支持体４の側面４Ａ〜４Ｄ及び頂面４Ｅに搭載される。ここでＬＥＤチップ２Ａ〜２Ｅは、チップの上下面に電極を有するタイプのものであるので、共通導電支持体４に搭載されることにより、ＬＥＤチップ２Ａ〜２Ｅの一方の電極に接続される。なお、ＬＥＤチップ２Ａ〜２Ｅは、全て同色を発光するＬＥＤチップの組み合わせでよく、あるいは赤（Ｒｅｄ）色系の光を発光する赤色系ＬＥＤチップ、緑（Ｇｒｅｅｎ）色系の光を発光する緑色系ＬＥＤチップ、青（Ｂｌｕｅ）色系の光を発光する青色系のＬＥＤチップの組み合わせ、さらには他の色を発光するＬＥＤチップとの組み合わせであってもよい。
【００１０】
共通導電支持体４は、ＬＥＤチップ２Ａ〜２Ｅが搭載される面がそれぞれ直角に形成され、側面４Ａ〜４Ｄ及び頂面４Ｅがそれぞれ相互に導通している。なお、ＬＥＤチップ２Ａ〜２Ｅが搭載される面は、それぞれ直角に形成されている必要はなく、発光光の出射方向により、傾斜を設けてもよい。
【００１１】
ＬＥＤチップ２Ａ〜２Ｄとリード１Ａ〜１Ｄとの間は、ボンディングワイヤ３Ａ〜３Ｄによってそれぞれ接続されている。なお、リード１Ｄは、ボンディングワイヤ３Ａ，３Ｅが接続され、1つのリードから複数のＬＥＤチップ２Ａ，２Ｅに給電する。
【００１２】
この発光装置１０Ａは、例えば、砲弾型に成型された透明性樹脂材料からなる封止樹脂１１により覆われて、ディスクリートタイプの発光装置１０Aを構成する。このディスクリートタイプの発光装置１０Ａは、リード１Ａ〜１Ｄおよび共通導電支持体４が、印刷配線基板などの基板に挿入されて半田付けなどにより実装されることで、装飾用ランプとして組み立てられる。
【００１３】
図３は、第１の実施の形態に係る発光装置１０の等価回路を示す。ＬＥＤチップ２Ａ〜２Ｅは、カソードコモンタイプを示す。Ｄ２ＡはＬＥＤチップ２Ａにより構成されるＬＥＤを、Ｄ２ＢはＬＥＤチップ２Ｂにより構成されるＬＥＤを、Ｄ２ＣはＬＥＤチップ２Ｃにより構成されるＬＥＤを、Ｄ２ＤはＬＥＤチップ２Ｄにより構成されるＬＥＤを、Ｄ２ＥはＬＥＤチップ２Ｅにより構成されるＬＥＤをそれぞれ示している。アノード端子となるリード１Ａ〜１Ｄとカソードコモン端子となる共通導電支持体４との間に順方向電圧を印加することにより、各ＬＥＤＤ２Ａ〜Ｄ２Ｅが点灯する。
【００１４】
（第１の実施の形態の効果）
第１の実施の形態に係る発光装置１０Ａによれば、以下の効果を得ることができる。
（１）５個のＬＥＤチップ２Ａ〜２Ｅのそれぞれを共通導電支持体４の異なる面４Ａ〜４Ｅに実装して装飾用ランプを構成するので、指向性を広くすることができる。従って、輝度むらを感じることがなくなるため、被装飾体を見る者に対して違和感を与えることがなくなる。また、発光装置１０を電球などにより構成した装飾用ランプの代替として用いることができるので、ＬＥＤの利点を生かしてランプの寿命を延ばすことができる。
（２）複数のＬＥＤチップ２Ａ〜２Ｅをそれぞれ共通導電支持体４の異なる面４Ａ〜４Ｅに実装したことにより、見る角度により発光色を異ならせることができるので、１個のＬＥＤランプでも多数の照射面に対して異なる発光色で照射することができる。従って、イルミネーション効果を向上させることができる。
（３）ＬＥＤチップ２Ａ〜２Ｅを個別に発光することができるため、発光色を変えたり、同一色でも発光時間とか発光パターンを変えることによるイルミネーション効果を向上させることができる。
【００１５】
［第２の実施の形態］
図４は、本発明の第２の実施の形態に係る発光装置を示す斜視図、図５は、本発明の第２の実施の形態に係る発光装置を示し、（ａ）はその正面図、（ｂ）はその平面図、図６は、その等価回路を示す。ここで、図１〜図３に示す符号と同じ符号は、同じ部分を表わすので、詳細な説明は、省略する。
【００１６】
この発光装置１０Ｂは、第１の実施の形態に係る発光装置１０Ａとは、導電性材料からなる共通導電支持体１２の形状および搭載されるＬＥＤチップを４つにした点が異なる。
【００１７】
共通導電支持体１２は、その上方に互いに隣接して斜面１２Ａ〜１２Ｄが形成され、この斜面１２Ａ〜１２ＤにＬＥＤチップ２Ａ〜２Ｄがそれぞれ搭載される。
【００１８】
ＬＥＤチップ２Ａ〜２Ｄは、リード１Ａ〜１Ｄからそれぞれ１つのＬＥＤチップに給電する構成となっている。
【００１９】
（第２の実施の形態の効果）
第２の実施の形態に係る発光装置１０Ｂによれば、以下の効果を得ることができる。
（１）４個のＬＥＤチップ２Ａ〜２Ｄのそれぞれを共通導電支持体１２の異なる斜面１２Ａ〜１２Ｄに実装して装飾用ランプを構成するので、指向性を広くすることができる。従って、輝度むらを感じさせなくなるため、被装飾体を見る者に対して違和感を与えることがなくなる。また、発光装置１０Ｂを電球などにより構成した装飾用ランプの代替として用いることができるので、ＬＥＤの利点を生かしてランプの寿命を延ばすことができる。
（２）複数のＬＥＤチップ２Ａ〜２Ｄをそれぞれ共通導電支持体１２の異なる斜面１２Ａ〜１２Ｄに実装したことにより、見る角度により発光色を異ならせることができるので、１個のＬＥＤランプでも多数の照射面に対して異なる発光色で照射することができる。従って、イルミネーション効果を向上させることができる。
（３）共通導電支持体１２の斜面１２Ａ〜１２Ｄの角度を変えることにより発光装置１０Ｂとしての発光光の出射角を変更することができる。
【００２０】
［第３の実施の形態］
図７は、本発明の第３の実施の形態に係る発光装置を示し、（ａ）はその平面図、（ｂ）はその斜視図、図８は、その等価回路である。この発光装置１０Ｃは、第２の実施の形態に係る発光装置１０Ｂとは、共通導電支持体１２の代わりに、導電性材料からなり、それぞれが独立して設けられた導電支持体１３Ａ〜１３Ｄが設けられ、各導電支持体１３Ａ〜１３Ｄの上部にそれぞれＬＥＤチップ２Ａ〜２Ｄが配置されている点が異なる。すなわち、図８に示すように、１つの導電支持体１３Ａ〜１３Ｄに、上下面に電極を有するＬＥＤチップ２Ａ〜２Ｄをそれぞれ搭載し、１つのリード１Ａ〜１Ｄから１つのＬＥＤチップ２Ａ〜２Ｄに給電するものである。その他の点については、第２の実施の形態に係る発光装置１０Ｂと同様であるので、詳細な説明を省略する。
【００２１】
（第３の実施の形態の効果）
第３の実施の形態に係る発光装置１０Ｃによれば、以下の効果を得ることができる。
（１）４個のＬＥＤチップ２Ａ〜２Ｄのそれぞれを導電支持体１３Ａ〜１３Ｄにそれぞれ実装して装飾用ランプを構成するので、指向性を広くすることができる。従って、輝度むらを感じさせなくなるため、被装飾体を見る者に対して違和感を与えることがなくなる。また、発光装置１０Ｃを電球などにより構成した装飾用ランプの代替として用いることができるので、ＬＥＤの利点を生かしてランプの寿命を延ばすことができる。
（２）複数のＬＥＤチップ２Ａ〜２Ｄのそれぞれを導電支持体１３Ａ〜１３Ｄに実装したことにより、見る角度により発光色を異ならせることができるので、１個のＬＥＤランプでも多数の照射面に対して異なる発光色で照射することができる。従って、イルミネーション効果を向上させることができる。
（３）ＬＥＤチップ２Ａ〜２Ｄを個別に発光することができるため、発光色を変えたり、同一色でも発光時間とか発光パターンを変えることによるイルミネーション効果を向上させることができる。
【００２２】
（第４の実施の形態）
図９は、本発明の第４の実施の形態に係る発光装置を示し、（ａ）はその平面図、（ｂ）はその等価回路である。この発光装置１０Ｄは、第２の実施の形態に係る発光装置１０Ｂとは、１つのＬＥＤチップ２Ａに対し１つのリード１Ａから給電していたのを、１つのリード１Ａから２つのＬＥＤチップ２Ａ，２Ｂに給電し、リード１Ｂから２つのＬＥＤチップ２Ｃ，２Ｄに給電するようにした点が異なる。その他の点については、第２の実施の形態に係る発光装置１０Ｂと同様であるので、詳細な説明を省略する。
【００２３】
（第４の実施の形態の効果）
第４の実施の形態に係る発光装置１０Ｄによれば、以下の効果を得ることができる。
（１）リード１Ａから２つのＬＥＤチップ２Ａ，２Ｂに給電し、リード１Ｂから２つのＬＥＤチップ２Ｃ，２Ｄに給電するようにしたため、リードの数を減らすことができるので、構造が簡易となり、製造コストを低減することができる。
（２）４個のＬＥＤチップ２Ａ〜２Ｄのそれぞれを共通導電支持体１２の異なる面１２Ａ〜１２Ｄに実装して装飾用ランプを構成するので、指向性を広くすることができる。従って、輝度むらを感じさせなくなるため、被装飾体を見る者に対して違和感を与えることがなくなる。また、発光装置１０Ｄを電球などにより構成した装飾用ランプの代替として用いることができるので、ＬＥＤの利点を生かしてランプの寿命を延ばすことができる。
（３）複数のＬＥＤチップ２Ａ〜２Ｄをそれぞれ共通導電支持体１２の異なる面１２Ａ〜１２Ｄに実装したことにより、見る角度により発光色を異ならせることができるので、１個のＬＥＤランプでも多数の照射面に対して異なる発光色で照射することができる。従って、イルミネーション効果を向上させることができる。
【００２４】
［第５の実施の形態］
図１０は、本発明の第５の実施の形態に係る発光装置を示し、（ａ）はその平面図、（ｂ）はその等価回路である。この発光装置１０Ｅは、第２の実施の形態に係る発光装置１０Ｂとは、共通導電支持体１２の斜面に１２Ａ，１２Ｃに搭載されるＬＥＤチップ８Ａ，８Ｂがチップの片面に電極が設けられたタイプであること、ＬＥＤチップ８Ａが２つのリード１Ａ，１Ｂによりボンディングワイヤ３Ａ，３Ｂを介して給電され、ＬＥＤチップ８Ｂが２つのリード１Ｃ，１Ｄによりボンディングワイヤ３Ｃ，３Ｄを介して給電されている点が異なる。その他の点については、第２の実施の形態に係る発光装置１０Ｂと同様であるので、詳細な説明を省略する。
【００２５】
（第５の実施の形態の効果）
第５の実施の形態に係る発光装置１０Ｅによれば、以下の効果を得ることができる。
（１）電極がＬＥＤチップ８Ａ，８Ｂの片面に設けられているものであっても、リード１Ａ〜１Ｄにより給電することができるため、リードの数を増加する必要がない。
（２）ＬＥＤチップ８Ａが２つのリード１Ａ，１Ｂにより給電され、ＬＥＤチップ８Ｂが２つのリード１Ｃ，１Ｄにより給電されているため、第１の実施の形態のように共通導電支持体４を封止樹脂の外方に突出する必要がないので、構造が簡易となり、製造コストを低減することができる。
【００２６】
（第５の実施の形態の変形例）
複数のＬＥＤチップ８Ａ、８Ｂのほか、他のＬＥＤチップを斜面１２Ｂ，１２Ｄに搭載することにより、発光光の指向性を広くすることができる。また、輝度むらを感じさせなくなるため、被装飾体を見る者に対して違和感を与えることがなくなる。
【００２７】
［第６の実施の形態］
図１１は、本発明の第６の実施の形態に係る発光装置を示し、（ａ）はその平面図、（ｂ）はその等価回路である。この発光装置１０Ｆは、第２の実施の形態に係る発光装置１０Ｂとは、共通導電支持体１２の１の１つの斜面１２Ａに２つのＬＥＤチップ２Ａ，２Ｂを搭載し、斜面１２に対向する１つの斜面１２Ｃに２つのＬＥＤチップ２Ｃ，２Ｄを搭載した点が異なる。その他の点については、第２の実施の形態に係る発光装置１０Ｂと同様であるので、詳細な説明を省略する。
【００２８】
（第６の実施の形態の効果）
第６の実施の形態に係る発光装置１０Ｆによれば、以下の効果を得ることができる。
（１）１の斜面１２Ａに２つのＬＥＤチップ２Ａ，２Ｂを搭載し、斜面１２に対向する１つの斜面１２Ｃに２つのＬＥＤチップ２Ｃ，２Ｄを搭載するため、所定の方向の出射光を明るくすることができる。
（２）ＬＥＤチップ２Ａ〜２Ｄを個別に発光することができるため、発光色を変えたり、同一色でも発光時間とか発光パターンを変えることによるイルミネーション効果を向上させることができる。
【００２９】
［第７の実施の形態］
図１２は、本発明の第７の実施の形態に係る発光装置の斜視図である。この発光装置１０Ｇは、第１の実施の形態に係る発光装置１０Ａとは、共通導電支持体４の頂面４ＥにＬＥＤチップが搭載されていないこと、側面４Ａ〜４Ｄに搭載されるＬＥＤチップ８Ａ〜８Ｄ（８Ｃ，８Ｄは図示していない。）がその片面に電極が設けられたタイプである点が異なる。すなわち、各リード１Ａ〜１ＤとＬＥＤチップ８Ａ〜８Ｄ間、およびＬＥＤチップ８Ａ〜８Ｄと共通導電支持体間は、ボンディングワイヤ３Ａ〜３Ｄ、３０Ａ〜３０Ｄにより接続されている。その他の点については、第１の実施の形態に係る発光装置１０Ａと同様であるので、詳細な説明を省略する。
【００３０】
（第７の実施の形態の効果）
第７の実施の形態に係る発光装置１０Ｇによれば、以下の効果を得ることができる。
（１）電極がＬＥＤチップ８Ａ〜８Ｄの片面に設けられているものであっても、リード１Ａ〜１Ｄにより給電することができるため、リードの数を増加する必要がない。
（２）共通導電支持体４によりアノードまたはカソードのいずれか一方を共通化することができるため、リードの数を増やす必要がない。
【００３１】
［第８の実施の形態］
図１３は、本発明の第８の実施の形態に係る発光装置を示し、（ａ）はその斜視図、（ｂ）はその等価回路である。この発光装置１０Ｈは、第７の実施の形態に係る発光装置１０Ｇとは、共通導電支持体４に搭載されたＬＥＤチップ８Ａ〜８Ｄ（８Ｃおよび８Ｄは見えない。）がＬＥＤチップの片面に電極が設けられるタイプである点、１つのリード１Ａから２つのＬＥＤチップ８Ａ，８Ｄ（図示せず）に給電され、リード１Ｂから２つのＬＥＤチップ８Ｂ，８Ｃ（図示せず）に給電される点、およびＬＥＤチップ８Ａ〜８Ｄはボンディングワイヤ３０Ａ〜３０Ｄ（３０Ｃおよび３０Ｄは見えない。）を介して共通導電支持体４に接続される点が異なる。その他の点については、第７の実施の形態に係る発光装置１０Ｇと同様であるので、詳細な説明を省略する。
【００３２】
（第８の実施の形態の効果）
第８の実施の形態に係る発光装置１０Ｈによれば、以下の効果を得ることができる。
（１）１つのリード１Ａから２つのＬＥＤチップ８Ａ，８Ｄ（図示せず）に給電され、リード１Ｂから２つのＬＥＤチップ８Ｂ，８Ｃ（図示せず）に給電されるようにしたため、リードの数を減らすことができるので、構造が簡易となり、製造コストを低減することができる。
（２）共通導電支持体４によりアノードまたはカソードのいずれか一方を共通化することができるため、リードの数を増やす必要がない。
（３）ＬＥＤチップ８Ａ〜８Ｄを複数個単位で発光することができるため、発光色を変えたり、同一色でも発光時間とか発光パターンを変えることによるイルミネーション効果を向上させることができる。
【００３３】
［第９の実施の形態］
図１４は、本発明の第９の実施の形態に係る発光装置を示し、（ａ）はその斜視図、（ｂ）はその等価回路である。この発光装置１０Ｉは、第３の実施の形態に係る発光装置１０Ｃとは、１のリード１Ａから２つのＬＥＤチップ２Ａ，２Ｄに給電され、リード１Ｂから２つのＬＥＤチップ２Ｂ，２Ｃに給電される点が異なる。その他の点については、第３の実施の形態に係る発光装置１０Ｃと同様であるので、詳細な説明を省略する。
【００３４】
（第９の実施の形態の効果）
第９の実施の形態に係る発光装置１０Ｉによれば、以下の効果を得ることができる。
（１）１のリード１Ａから２つのＬＥＤチップ２Ａ，２Ｄに給電され、リード１Ｂから２つのＬＥＤチップ２Ｂ，２Ｃに給電されるようにしたため、リードの数を減らすことができるので、構造が簡易となり、製造コストを低減することができる。
（２）ＬＥＤチップ２Ａ〜２Ｄを複数個単位で発光することができるため、発光色を変えたり、同一色でも発光時間とか発光パターンを変えることによるイルミネーション効果を向上させることができる。
［第１０の実施の形態］
図１５は、本発明の第１０の実施の形態に係る発光装置の斜視図である。この発光装置１０Ｊは、第９の実施の形態に係る発光装置１０Ｉとは、ＬＥＤチップ８Ａ〜８Ｄがチップの片面に電極が設けられたタイプである点が異なる。すなわち、リード１ＡからＬＥＤチップ８Ａ、８Ｄにボンディングワイヤ３Ａ，３Ｄを介して接続され、リード１ＢからＬＥＤチップ８Ｂ，８Ｃにボンディングワイヤ３Ｂ，３Ｃを介して接続され、各ＬＥＤチップ８Ａ〜８Ｄは、ボンディングワイヤ３０Ａ〜３０Ｄを介して各導電支持体１３Ａ〜１３Ｄにそれぞれ接続される。その他の点については、第９の実施の形態に係る発光装置１０Ｉと同様であるので、詳細な説明を省略する。
【００３５】
（第１０の実施の形態の効果）
第１０の実施の形態に係る発光装置１０Ｊによれば、以下の効果を得ることができる。
（１）１つのリード１Ａから２つのＬＥＤチップ８Ａ，８Ｄに給電し、リード１Ｂから２つのＬＥＤチップ８Ｂ，８Ｃに給電するようにしたため、リードの数を減らすことができるので、構造が簡易となり、製造コストを低減することができる。
（２）ＬＥＤチップ８Ａ〜８Ｄを複数個単位で発光することができるため、発光色を変えたり、同一色でも発光時間とか発光パターンを変えることによるイルミネーション効果を向上させることができる。
【００３６】
［第１１の実施の形態］
図１６は、本発明の第１１の実施の形態に係る発光装置を示し、（ａ）はその斜視図、（ｂ）はその平面図、（ｃ）はその等価回路である。この発光装置２０Ａは、絶縁基板２６と、絶縁基板２６上に設けられ、導電性材料からなり、所定の角度を形成された複数の台座２４A〜２４Ｄと、台座２４Ａ〜２４Ｄ上に搭載されたＬＥＤチップ２Ａ〜２Ｄと、ＬＥＤチップ２Ａ〜２Ｄにワイヤボンディング３Ａ〜３Ｄを介して給電するリード２１Ａ〜２４Ｄと、台座２４Ａ〜２４Ｄを介してＬＥＤチップ２Ａ〜２Ｄと導通するリード２１Ｅ〜２１Ｈと、ＬＥＤチップ２Ａ〜２Ｄとワイヤボンディング３Ａ〜３Ｄを封止する封止樹脂２５とを備える。
【００３７】
この発光装置２０Ａは、上述の発光装置１０Ａ〜１０Ｊが、基板に挿入するディスクリートタイプであるのに対し、基板上に乗せる面実装タイプである。この発光装置２０Ａは、リード２１Ａ〜２１Ｈを印刷配線基板などの基板に半田付け等により面実装されることにより、装飾用ランプとして組み立てられる。
【００３８】
ここで、ＬＥＤチップ２Ａは、ボンディングワイヤ３Ａを介してリード２１ＡからＬＥＤチップ２Ａに給電され、給電された電流は、台座２４Ａを介してリード２１Ｅに流れる。他のＬＥＤチップ２Ｂ〜２Ｄもそれぞれ別のリードによりそれぞれが独立して配線される。
【００３９】
（第１１の実施の形態の効果）
第１１の実施の形態に係る発光装置２０Ａによれば、以下の効果を得ることができる。
（１）ＬＥＤチップ２Ａ〜２Ｄを個別に発光することができるため、発光色を変えたり、同一色でも発光時間とか発光パターンを変えることによるイルミネーション効果を向上させることができる。
（２）ＬＥＤチップ２Ａ〜２Ｄのそれぞれを異なる台座２４Ａ〜２４Ｄに実装して装飾用ランプを構成するので、指向性を広くすることができる。従って、輝度むらを感じることがなくなるため、被装飾体を見る者に対して違和感を与えることがなくなる。また、発光装置２０Ａを電球などにより構成した装飾用ランプの代替として用いることができるので、ＬＥＤの利点を生かしてランプの寿命を延ばすことができる。
（３）複数のＬＥＤチップ２Ａ〜２Ｅをそれぞれ異なる台座２４Ａ〜２４Ｄに実装したことにより、見る角度により発光色を異ならせることができるので、１個のＬＥＤランプでも多数の照射面に対して異なる発光色で照射することができる。従って、イルミネーション効果を向上させることができる。
（４）台座２４Ａ〜２４Ｄの角度を変えることにより発光装置２０Ａとしての発光光の出射角を変更することができる。
【００４０】
［第１２の実施の形態］
図１７は、本発明の第１２の実施の形態に係る発光装置を示し、（ａ）はその斜視図、（ｂ）はその等価回路である。この発光装置２０Ｂは、第１の実施の形態に係る発光装置２０Ａとは、カソード側を共通にし、リードを１つにした点が異なる。その他の点については、第１１の実施の形態に係る発光装置２０Ａと同様であるので、詳細な説明を省略する。
【００４１】
（第１２の実施の形態の効果）
第１２の実施の形態に係る発光装置２０Ｂによれば、以下の効果を得ることができる。
（１）ＬＥＤチップ２Ａ〜２Ｄを１個単位で発光することができるため、発光色を変えたり、同一色でも発光時間とか発光パターンを変えることによるイルミネーション効果を向上させることができる。
（２）カソード側の配線を共通にすることができるため、リードの数を減らすことができるので、構造が簡易となり、製造コストを低減することができる。
【００４２】
［第１３の実施の形態］
図１８は、本発明の第１３の実施の形態に係る発光装置の斜視図である。この発光装置２０Ｃは、第１２の実施の形態に係る発光装置２０Ｂとは、ＬＥＤチップ８Ａ〜８Ｄがチップの片面に電極が設けられたタイプである点が異なる。すなわち、リード２１Ａ〜２１Ｄからボンディングワイヤ３Ａ〜３Ｄを介してそれぞれＬＥＤチップ８Ａ〜８Ｄに接続され、ＬＥＤチップ８Ａ〜８Ｄとリード２１Ｅとは、ボンディングワイヤ３０Ａ〜３０Ｄをリード２１Ｅと接続された共通支持体２７と接続する。その他の点については、第１２の実施の形態に係る発光装置２０Ｂと同様であるので、詳細な説明を省略する。
【００４３】
（第１３の実施の形態の効果）
第１３の実施の形態に係る発光装置２０Ｃによれば、以下の効果を得ることができる。
（１）ＬＥＤチップ２Ａ〜２Ｄを１個単位で発光することができるため、発光色を変えたり、同一色でも発光時間とか発光パターンを変えることによるイルミネーション効果を向上させることができる。
（２）チップの片面に電極が設けられたタイプであっても、カソード側の配線を共通にすることができるため、リードの数を減らすことができるので、構造が簡易となり、製造コストを低減することができる。
【００４４】
［第１４の実施の形態］
図１９は、本発明の第１４の実施の形態に係る発光装置を示し、（ａ）はその斜視図、（ｂ）はその等価回路である。発光装置２０Ｄは、第１３の実施の形態に係る発光装置２０Ｃとは、ＬＥＤチップ２Ａ〜２Ｄがその上下面に電極が設けられるタイプである点、１つのリード２１Ａからボンディングワイヤ３Ａ，３Ｄを介して２つのＬＥＤチップ２Ａ，２Ｄに給電され、リード２１Ｂからボンディングワイヤ３Ｂ，３Ｃを介して２つのＬＥＤチップ２Ｂ，２Ｃに給電される点が異なる。その他の点については、第１３の実施の形態に係る発光装置２０Ｃと同様であるので、詳細な説明を省略する。
【００４５】
（第１４の実施の形態の効果）
第１４の実施の形態に係る発光装置２０Ｄによれば、１つのリード２１Ａから２つのＬＥＤチップ２Ａ，２Ｄに給電し、１つのリード２１Ｂから２つのＬＥＤチップ２Ｂ，２Ｃに給電するようにしたため、リードの数を減らすことができるので、構造が簡易となり、製造コストを低減することができる。
【００４６】
［第１５の実施の形態］
図２０は、本発明の第１５の実施の形態に係る発光装置を示し、（ａ）はその斜視図、（ｂ）はその等価回路である。この発光装置２０Ｅは、第１４の実施の形態に係る発光装置２０Ｄとは、ＬＥＤチップ８Ａ〜８Ｄがチップの片面に電極が設けられたタイプである点が異なる。その他の点については、第１４の実施の形態に係る発光装置２０Ｄと同様であるので、詳細な説明を省略する。
【００４７】
（第１５の実施の形態の効果）
第１５の実施の形態に係る発光装置２０Ｅによれば、以下の効果を得ることができる。
（１）１つのリード２１Ａから２つのＬＥＤチップ８Ａ，８Ｄに給電し、１つのリード２１Ｂから２つのＬＥＤチップ８Ｂ，８Ｃに給電するようにしたため、リードの数を減らすことができるので、構造が簡易となり、製造コストを低減することができる。
（２）チップの片面に電極が設けられたタイプであっても、カソード側の配線を共通にすることができるため、リードの数を減らすことができるので、構造が簡易となり、製造コストを低減することができる。
【００４８】
［第１６の実施の形態］
図２１は、本発明の第１６の実施の形態に係る発光装置を示し、（ａ）はその斜視図、（ｂ）はその等価回路である。この発光装置２０Ｆは、第１１の実施の形態に係る発光装置２０Ａとは、ＬＥＤチップ８Ａ〜８Ｄがチップの片面に電極が設けられたタイプである点が異なる。その他の点については、第１１の実施の形態に係る発光装置２０Ａと同様であるので、詳細な説明を省略する。
【００４９】
（第１６の実施の形態の効果）
第１６の実施の形態に係る発光装置２０Ｆによれば、チップの片面に電極が設けられたタイプであっても、ＬＥＤチップ８Ａ〜８Ｄを個別に発光することができるため、発光色を変えたり、同一色でも発光時間とか発光パターンを変えることによるイルミネーション効果を向上させることができる。
【００５０】
［第１７の実施の形態］
図２２は、本発明の第１７の実施の形態に係る発光装置を示し、（ａ）はその斜視図、（ｂ）はその等価回路である。この発光装置２０Ｇは、第１１の実施の形態に係る発光装置２０Ａとは、１つのリード２１Ａにより２つのＬＥＤチップ８Ａ，８Ｂに給電される点、リード２１Ｂにより２つのＬＥＤチップ８Ｃ，８Ｄに給電される点、およびＬＥＤチップ８Ａ〜８Ｄがチップの片面に電極が設けられたタイプである点が異なる。その他の点については、第１１の実施の形態に係る発光装置２０Ａと同様であるので、詳細な説明を省略する。
【００５１】
（第１７の実施の形態の効果）
第１７の実施の形態に係る発光装置２０Ｇによれば、１つのリード２１Ａにより２つのＬＥＤチップ８Ａ，８Ｂに給電される点、リード２１Ｂにより２つのＬＥＤチップ８Ｃ，８Ｄに給電されるようにしたため、リードの数を減らすことができるので、構造が簡易となり、製造コストを低減することができる。また、ＬＥＤチップを複数個単位で発光することができるため、発光色を変えたり、同一色でも発光時間とか発光パターンを変えることによるイルミネーション効果を向上させることができる。
【００５２】
［他の実施の形態］
第１７の実施の形態において、電極が片面に設けられたＬＥＤチップ８Ａ〜８Ｄをその上下面に電極が設けられたＬＥＤチップに変更してもよい。このように構成することにより、リードの数を減らすことができるので、構造が簡易となり、製造コストを低減することができる。また、ＬＥＤチップを複数個単位で発光することができるため、発光色を変えたり、同一色でも発光時間とか発光パターンを変えることによるイルミネーション効果を向上させることができる。
【００５３】
以上、本発明の実施の形態を詳述してきたが、具体的な構成は各実施形態に限られるものではなく、本発明の要旨を逸脱しない範囲の設計の変更などがあっても本発明に含まれる。例えば各実施の形態に係る発光装置では、よりはっきりと発光色を分けたい場合には、各ＬＥＤチップ間に仕切り板を設けるようにしてもよい。また、各実施の形態に係る発光装置では、装飾用ランプに適用する例で説明したが、これに限らずランプ一般に適用することができる。また、各実施の形態に係る発光装置では、ＬＥＤチップを４〜５個用いる例で説明したが、これに限らず目的、用途などに応じて任意の数だけ用いることができる。
【００５４】
また、以上説明したように、発光装置として、ディスクリートタイプと面実装タイプがあり、リードを共通にするか個別にするかを選択でき、１のリードから１つのＬＥＤチップのみならず複数のＬＥＤチップに給電することができ、ＬＥＤチップについてもチップの上下あるいは一方の面に電極を設けるものがあり、これらを適宜組合わせることが好ましい。
【図面の簡単な説明】
【００５５】
【図１】本発明の第１の実施の形態に係る発光装置を示す斜視図である。
【図２】本発明の第１の実施の形態に係る発光装置の平面図である。
【図３】本発明の第１の実施の形態に係る発光装置の等価回路を示す図である。
【図４】本発明の第２の実施の形態に係る発光装置を示す斜視図である。
【図５】本発明の第２の実施の形態に係る発光装置を示し、（ａ）はその正面図、（ｂ）その平面図である。
【図６】本発明の第２の実施の形態に係る発光装置の等価回路を示す図である。
【図７】本発明の第３の実施の形態に係る発光装置を示し、（ａ）はその平面図、（ｂ）はその斜視図である。
【図８】本発明の第３の実施の形態に係る発光装置の等価回路を示す図である。
【図９】本発明の第４の実施の形態に係る発光装置を示し、（ａ）はその平面図、（ｂ）はその等価回路を示す図である。
【図１０】本発明の第５の実施の形態に係る発光装置を示し、（ａ）はその平面図、（ｂ）はその等価回路を示す図である。
【図１１】本発明の第６の実施の形態に係る発光装置を示し、（ａ）はその平面図、（ｂ）はその等価回路を示す図である。
【図１２】本発明の第７の実施の形態に係る発光装置の斜視図である。
【図１３】本発明の第８の実施の形態に係る発光装置を示し、（ａ）はその斜視図、（ｂ）はその等価回路を示す図である。
【図１４】本発明の第９の実施の形態に係る発光装置を示し、（ａ）はその斜視図、（ｂ）はその等価回路を示す図である。
【図１５】本発明の第１０の実施の形態に係る発光装置の斜視図である。
【図１６】本発明の第１１の実施の形態に係る発光装置を示し、（ａ）はその斜視図、（ｂ）はそのの平面図、（ｃ）はその等価回路を示す図である。
【図１７】本発明の第１２の実施の形態に係る発光装置を示し、（ａ）はその斜視図、（ｂ）はその等価回路を示す図である。
【図１８】本発明の第１３の実施の形態に係る発光装置の斜視図である。
【図１９】本発明の第１４の実施の形態に係る発光装置を示し、（ａ）はその斜視図、（ｂ）はその等価回路を示す図である。
【図２０】本発明の第１５の実施の形態に係る発光装置を示し、（ａ）はその斜視図、（ｂ）はその等価回路を示す図である。
【図２１】図２１は、本発明の第１６の実施の形態に係る発光装置を示し、（ａ）はその斜視図、（ｂ）はその等価回路を示す図である。
【図２２】図２２は、本発明の第１７の実施の形態に係る発光装置を示し、（ａ）はその斜視図、（ｂ）はその等価回路を示す図である。
【符号の説明】
【００５６】
１Ａ〜１Ｄ  リード
２Ａ〜２Ｅ  ＬＥＤチップ
３Ａ〜３Ｅ  ボンディングワイヤ
４  共通導電支持体
４Ａ〜４Ｄ  側面
４Ｅ  頂面
８Ａ〜８Ｄ  ＬＥＤチップ
１０Ａ〜１０Ｊ  発光装置
１１  封止樹脂
１２  共通導電支持体
１２Ａ〜１２Ｄ  斜面
１３Ａ〜１３Ｄ  導電支持体
２０Ａ〜２０Ｇ  発光装置
２１Ａ〜２１Ｈ  リード
２４Ａ〜２４Ｄ  台座
２５  封止樹脂
２６  絶縁基板
【図１】
2006080391.tif 000003
【図２】
2006080391.tif 000004
【図３】
2006080391.tif 000005
【図４】
2006080391.tif 000006
【図５】
2006080391.tif 000007
【図６】
2006080391.tif 000008
【図７】
2006080391.tif 000009
【図８】
2006080391.tif 000010
【図９】
2006080391.tif 000011
【図１０】
2006080391.tif 000012
【図１１】
2006080391.tif 000013
【図１２】
2006080391.tif 000014
【図１３】
2006080391.tif 000015
【図１４】
2006080391.tif 000016
【図１５】
2006080391.tif 000017
【図１６】
2006080391.tif 000018
【図１７】
2006080391.tif 000019
【図１８】
2006080391.tif 000020
【図１９】
2006080391.tif 000021
【図２０】
2006080391.tif 000022
【図２１】
2006080391.tif 000023
【図２２】
2006080391.tif 000024